(57)【要約】【課題】教習者と指導者とが夫々遠隔地にあっても、インターネットを介して容易にスポーツ、演技または行為等の動作のレッスンを行い得るようにしたインターネットレッスンシステムを提供する。【解決手段】インターネットレッスンでWEB上に2画面ツールがあり、随時必要な時にインターネットからシステムをダウンロードして前後・側面からの2画面に指導者がラインツールと音声を入力し教習者のPCもしくは携帯電話に音声付とラインツールの入った動画を送信するシステム。【選択図】図１
2006231045.tif 000002
【特許請求の範囲】
【請求項１】
ユーザ（教習者）の動作が前方および後方或は側方のいずれか２方向から撮影された映像を処理して表示するとともに2画面動作解析ツールがインストールされた映像表示処理装置を具えるモーションアナライザー（MA）と、
該モーションアナライザーに設けられ、該処理された映像を、該モーションアナライザーからインターネット上のWebサーバに設けられた動作データベースにエントリーする手段と、
他に、インターネットを介して前記Webサーバの動作データベースにアクセスし、2画面動作解析ツールをダウンロードし得る指導者側のパーソナルコンピュータまたは携帯電話と、
同じくインターネットを介して前記Webサーバの動作データベースにアクセスし、2画面動作解析ツールをダウンロードし得るユーザ側のパーソナルコンピュータまたは携帯電話とを備え、
遠隔地においてユーザが前記モーションアナライザーから、または、自分のパーソナルコンピュータから、前記指導者にレッスンを申込み、自分のスポーツ、演技または行為等の動作と、指導者のスポーツ、演技または行為等の動作とを2画面動作解析ツール上で比較しながら指導者から適切なアドバイスを受けるようにしたことを特徴とするインターネットレッスンシステム。
【請求項２】
前記モーションアナライザーは、少なくとも一組のカメラを有する撮像部と２画面が並置された状態で表示される画像表示部を有する再生手段とを有する映像表示処理手段と、
各画面を個別に表示し解析するとともに２方向同一レッスンアングルでの動作撮影を行い、２方向動作映像の同時再生を行い得るとともに動作映像上にレッスンのための、直線−曲線ライン・円などを自由に描画し得、且つ、同一レッスンアングルなので他の動作との比較を行なうことができ、しかも、フェイスアングルまで確認し得るとともにWebへの送信ボタンを有する2画面動作解析ツールと、
赤外線センサーによる自動動作撮影機構およびタッチパネルによる簡単な撮影機構を有し、自分のタイミングで動作撮影を可能にする簡易撮影操作手段と、
ＩＤ発行機能を有し、動作映像をＩＤで管理し、顧客情報・システムの使用状況を把握する管理端末を有するユーザ管理手段と、
連続写真としてプリントアウトを可能にする動作映像の保存手段と、
動作撮影料金を回収するコインボックスを有する課金手段とを備えることを特徴とする請求項１に記載のインターネットレッスンシステム。
【請求項３】
前記課金手段はCD-ROM・プリントアウトに対してはモーションアナライザーの設置者により回収するか、または、インターネット上でのクレジット・振込決算とすることを特徴とする請求項２に記載のインターネットレッスンシステム。
【発明の詳細な説明】
【技術分野】
【０００１】
本発明はインターネットを介してスポーツ、演技または行為等の動作、または所作をレッスンするシステムに関するものである。
【背景技術】
【０００２】
この種のレッスンシステムとして、ビデオ機器を用いて、モニターテレビジョン画面上の右半分に教習者の動作の映像を映し、左半分に教材用の映像を映し、教習者が双方の映像を見比べて自分の動作を学習するようにしたビデオ教習装置は実開昭58-192670号公報にきさいされている。
【０００３】
また、自分の動作を撮像して診断する動作診断装置は特開平2-71773号公報に記載されている。
【０００４】
更に、ゴルフ練習場において自分のスイングの映像を複数のカメラで撮像してテレビジョンの画面に映出したり、異なる位置から撮影した映像をテレビジョンの画面にピクチャー・イン・ピクチャーの形式で映出するようにしたゴルフ練習場におけるゴルフフォーム撮影方法およびその装置は特開平3-236868号公報に記載されている。
【特許文献１】特願平6−201396号参照
【特許文献１】実開昭58-192670号公報参照
【特許文献１】特開平2-71773号公報参照
【特許文献１】特開平3-236868号公報参照
【発明の開示】
【発明が解決しようとする課題】
【０００５】
この種のレッスンシステムは何れもモニタ画面の映像を単に見るだけであり、たとえ、指導者に教わるとしても、口頭で指摘されるだけである。
【０００６】
従って、自分の動作映像と指導者の動作映像とをモニタ画面上で2画面に夫々映出し、これらの画面上に指導者がタッチペン式に直線、曲線または円を描いて、教習者の動作の問題点を教示するシステムは開発されてはいない。
【０００７】
まして、教習者と指導者とが夫々遠隔地にあっても、インターネットを介してレッスンしてもらうことは今日まで開発されてはいない。
【課題を解決するための手段】
【０００８】
本発明の目的は、モニタ画面上で2画面に夫々映出された自分の動作映像と指導者の動作映像とをこれらの画面上に指導者がタッチペン式に直線、曲線または円を描いて、教習者の動作の問題点を教示するシステムを提供せんとするにある。
本発明の他の目的は、教習者と指導者とが夫々遠隔地にあっても、インターネットを介して容易にスポーツ、演技または行為等の動作のレッスンを行い得るようにしたインターネットレッスンシステムを提供せんとするにある。
【０００９】
本発明インターネットレッスンシステムは、ユーザ（教習者）の動作が前方および後方或は側方のいずれか２方向から撮影された映像を処理して表示するとともに2画面動作解析ツールがインストールされた映像表示処理装置を具えるモーションアナライザー（MA）と、該モーションアナライザーに設けられ、該処理された映像を、該モーションアナライザーからインターネットのウエブに構築されたサーバに設けられた動作データベースにエントリーする手段と、他に、インターネットを介して前記サーバの動作データベースにアクセスし、2画面動作解析ツールをダウンロードする指導者側のパーソナルコンピュータと、同じくインターネットを介して前記サーバの動作データベースにアクセスし、2画面動作解析ツールをダウンロードするユーザ側のパーソナルコンピュータとを備え、遠隔地においてユーザが前記モーションアナライザーから、または、自分のパーソナルコンピュータから、前記指導者にレッスンを申込み、自分のスポーツ、演技または行為等の動作と、指導者のスポーツ、演技または行為等の動作とを2画面動作解析ツール上で比較しながら指導者から適切なアドバイスを受けるようにしたことを特徴とする。
【００１０】
また、本発明によれば、前記モーションアナライザーは、少なくとも一組のカメラを有する撮像部と２画面が並置された状態で表示される画像表示部を有する再生手段とを有する映像表示処理手段と、
各画面を個別に表示し解析するとともに２方向同一レッスンアングルでの動作撮影を行い、２方向動作映像の同時再生を行い得るとともに動作映像上にレッスンのための、直線−曲線ライン・円などを自由に描画し得、且つ、同一レッスンアングルなので他の動作との比較を行なうことができ、しかも、フェイスアングルまで確認し得るとともにWebへの送信ボタンを有する2画面動作解析ツールと、赤外線センサーによる自動動作撮影機構およびタッチパネルによる簡単な撮影機構を有し、自分のタイミングで動作撮影を可能にする簡易撮影操作手段と、ＩＤ発行機能を有し、動作映像をＩＤで管理し、顧客情報・システムの使用状況を把握する管理端末を有するユーザ管理手段と、連続写真としてプリントアウトを可能にする動作映像の保存手段と、動作撮影料金を回収するコインボックスを有する課金手段とを備えることを特徴とする。
【発明の効果】
【００１１】
本発明によれば、インターネットを介してレッスンを行うため、自分の好みの指導者に、自分のほぼ所望の時間に、所望の場所でレッスンを受けることができる大いなる利点がある。
【発明を実施するための最良の形態】
【００１２】
即ち、本発明は、ユーザと各種分野の指導者との間でインターネットを介して所望の時間に遠隔地から、ゴルフ、野球、サッカー等スポーツ、や舞踊、バレー等の種々の動作・所作のレッスンを行ない得るようした、インターネット上でスポーツ、演技または行為等の動作、または所作をレッスンするインターネットレッスンシステムを提供し得ることを確かめ、成したものである。
上記モーションアナライザーの主要部は本発明者によって出願された特願平6−201396号から既に明らかである。本発明では、かかるモーションアナライザーを更に発展させて、種々の機能を付加することによりインターネット上でスポーツ、演技または行為等の動作、または所作をレッスンするインターネットレッスンシステムを開発した。
本発明では、斯様にインターネット対応であるため、撮像したアナログ映像をデジタル映像に変換した情報をインターネット上でWebサーバの動作データベースに保存するので、インターネット上で動作履歴閲覧・解析を行うことができ、しかも動作映像・顧客情報の一元管理を行うこともできる、等すべての情報をWebサーバの動作データベースに蓄積することが可能である。
【実施例１】
【００１３】
図面につき、本発明の実施例を説明する。
本発明では、説明の便宜上ゴルフのスイングのレッスンを例にとって説明する。図1に示すように、ユーザ（教習者）はゴルフ練習場で、ここに設置されている本発明によるモーションアナライザーの前で、ゴルフのスイングを行い、この一連のスイング動作をモーションアナライザーのカメラによって前方または後方および側方の２方向から自動撮影し、撮影したアナログ映像をモーションアナライザーの映像表示処理手段により信号処理してデジタル映像に変換して、映像表示処理装置のモニタ画面上の２画面に夫々映出するとともにWebボタンを押圧してインターネット上のWebサーバの動作データベースにエントリーする。
【００１４】
必要に応じ、このデジタル映像はインターネット上に保存するか、CD-ROMに保存するか、携帯電話やゴルフ練習場のモーションアナライザーに保存し、或は連続写真としてプリントアウトすることもできる。
【００１５】
この時点で、ユーザ（教習者）はそのままゴルフ練習場において、または、パーソナルコンピュータ或は携帯電話の画面を見ながら、会員サイトから指導者（例えば、所属レッスンプロゴルファー、またはトーナメントプロゴルファー）のパーソナルコンピュータまたは携帯電話のレッスン申込み画面に掲載されている指導者のうちの所望の指導者にレッスンの申込みを行う。
【００１６】
レッスンを申込まれた指導者は彼のパーソナルコンピュータに、または携帯電話にインターネットのWebサーバの動作データベースから2画面動作解析ツールをダウンロードし、レッスン申込者のスイング動作を一方の画面に映出し、スイング動作を1コマづつ画面上でチェックし、さらに、画面上に、直線−曲線ライン・円などを自由に描画しながら申込者のスイング動作を文字や音声を加えながら解析する。
申込者（ユーザ）はこの一連の解析を自分のパーソナルコンピュータ或は携帯電話の画面を見ながらレッスンを受けることができる。
【００１７】
また、本発明では、図１に示す上述したインターネットのWebサーバの動作データベースから2画面動作解析ツールをダウンロードし、図2に示すように、これに種々の機能を付加して、以下に示すような、有料会員向けのオンラインサービスを開始することもできる。
【００１８】
かかるサービスとは、上述した2画面動作解析のほかに、動作（スイング）履歴比較研究、プロゴルファーのスイングとの比較、インターネットゴルフレッスン、スコア管理、ハンディキャップ取得、ドリルコンテンツ、メールマガジン、ゴルフ場の予約、携帯電話への配信等の種々のサービスを開始することができる。
【００１９】
また、図3に示すように、本発明による上述したモーションアナライザーは、少なくとも一組のカメラを有する撮像部と２画面が並置された状態で表示される画像表示部を有する再生手段とを有する映像表示処理手段と、各画面を個別に表示し解析するとともに２方向同一レッスンアングルでの動作撮影を行い、２方向動作映像の同時再生を行い得るとともに動作映像上にレッスンのための、直線−曲線ライン・円などを自由に描画し得、且つ、同一レッスンアングルなので他の動作との比較を行なうことができ、しかも、フェイスアングルまで確認し得るとともにWebへの送信ボタンを有する2画面動作解析ツールと、赤外線センサーによる自動動作撮影機構およびタッチパネルによる簡単な撮影機構を有し、自分のタイミングで動作撮影を可能にする簡易撮影操作手段と、ＩＤ発行機能を有し、動作映像をＩＤで管理し、顧客情報・システムの使用状況を把握する管理端末を有するユーザ管理手段と、連続写真としてプリントアウトを可能にする動作映像の保存手段と、動作撮影料金を回収するコインボックスを有する課金手段とを備える。
【００２０】
さらに本発明では、図4に示すように、モーションアナライザーからの映像を、パーソナルコンピュータに取り込み、このパーソナルコンピュータから、直接またはサーバを介して、ユーザの携帯電話に種々の情報を配信することができる。
【００２１】
かかる情報を受ける画面としては、上述した自分のスイング動画映像画面、レッスン画面、プロゴルファー（指導者）選択画面、プロゴルファーのスイング動画映像画面は、勿論、個人データ画面、シミュレーション/ゲーム画面、クラブ/ボール/スペック/選択画面、バーチャル試打結果画面等がある。
【００２２】
さらに、図5に示すように、本発明によるモーションアナライザーが設置された多数のゴルフ練習場とスタジオの教師(teacher)とを光ファイバーで結び、双方向E-ラーニングシステムによるインタラクティブシステムを採用して、本発明によるインターネットレッスンシステムを実行することもできる。
【００２３】
また、図6に示すように、携帯電話を使用して、シミュレーション/ゲーム画面、クラブ/ボール/スペック/選択画面、バーチャル試打結果画面等により、ゴルファーへのサービスを行い、新しいゴルフ場の予約サイトにおいて、希望のコースがビジュアルで18ホール見ることができる。また、ゴルファーのためのスコアリングシステムをも提供することができる。
【産業上の利用可能性】
【００２４】
斯様に本発明によれば、本発明によるモーションアナライザーをインターネットを介して、使用することによって、遠隔地にいても会社の種々の会議に出席することのできる遠隔会議に利用することもできる。
さらに、本発明はゴルフのレッスンだけでなく、野球、サッカーは勿論、舞踊、バレー、能楽等にも使用することができる。
【図面の簡単な説明】
【００２５】
【図１】本発明によるモーションアナライザーを使用するインターネットゴルフレッスンのシステムを示す説明図である。
【図２】本発明によるモーションアナライザーを使用してゴルフ練習のビジネスモデルを構築するシステムを示す説明図である。
【図３】本発明モーションアナライザーの構成を示す説明図である。
【図４】本発明モーションアナライザーを使用してインターネットを介してのゴルフレッスンを携帯電話でサービスする種々のサービス態様を示す説明である。
【図５】本発明モーションアナライザーを使用して双方向E-ラーニングシステムによるインタラクティブシステムを構築するシステムを示す説明図である。
【図６】本発明モーションアナライザーを使用して携帯電話によってゴルフコースのシミュレーションやバーチャル試打結果を知らせるゴルファーへのサービスを行う態様を示す説明図である。
【図１】
2006231045.tif 000003
【図２】
2006231045.tif 000004
【図３】
2006231045.tif 000005
【図４】
2006231045.tif 000006
【図５】
2006231045.tif 000007
【図６】
2006231045.tif 000008